(57)【要約】      （修正有）【課題】Ｕ字型パイプ本体及びＵ字型嵌め込み部品と強化部品で構成する梱包用クッション材構造体を提供する。【解決手段】Ｕ字型パイプ本体、Ｕ字型嵌め込み部品及び強化部品で構成する梱包用クッション材構造体である。Ｕ字型パイプ本体の中央に凹槽を形成し、外部側壁及び内部側壁を設け、凹槽の内部側壁の中央部分にアーチ型突出を設置する。Ｕ字型嵌め込み部品２１、２１’をＵ字型パイプ本体１の両端にある外部側壁及び内部側壁の間に挿入し、Ｕ字型嵌め込み部品２１の内側壁２５と外側壁２３の間に更に強化部品を挿入する。組み立てた構造体を二つ向かい合わせに設置し、該受け入れスペースに被保護物を入れると、たとえ外力が直接Ｕ字型嵌め込み部品に衝撃を与えても、強化部品の保護により、被保護物は損傷を受けず、電子製品や精密機械製品、ガラス製品、陶磁器製品に使用することができる。【選択図】図３
0003157655.tif 000002
【実用新案登録請求の範囲】
【請求項１】
Ｕ字型パイプ本体、Ｕ字型嵌め込み部品及び強化部品を含み、
該Ｕ字型パイプ本体は中央に凹槽を形成し、外部側壁及び内部側壁を設け、該外部側壁及び内部側壁の接続箇所に円弧型を設け、該内部側壁の中央部分にアーチ型突出を設けて、クッションとしての役割を強化し、
該外部側壁の左側端面と右側端面にそれぞれ二つのＵ字型溝を設け、底部端面に二つのＵ字型溝を設けてクッションとしての役割を強化し、
該Ｕ字型嵌め込み部品に内側壁及び外側壁を設け、該外側壁にＶ字型溝を設け、該内側壁及び該外側壁の接続箇所に挿入ヘッドを形成し、該Ｕ字型嵌め込み部品を該Ｕ字型パイプ本体の両端にある該外部側壁及び該内部側壁の間に挿入し、
該強化部品は短いプレートと長いプレートを繋げてコの字に折り曲げて形成し、コの字の底部の両サイドに斜体面を形成してクッション材とし、該強化部品は、該Ｕ字型パイプ本体の両端に挿入した該Ｕ字型嵌め込み部品の該内側壁と該外側壁の間に挿入し、
該Ｕ字型パイプ本体の両端に、該Ｕ字型嵌め込み部品を挿入し、更に該強化部品をそれぞれ挿入して受け入れスペースＶを形成することを特徴とする梱包用クッション材構造体。
【請求項２】
前記長いプレートを前記Ｕ字型嵌め込み部品の前記内側壁と前記外側壁の間に挿入し、前記短いプレートは前記受け入れスペースＶに露出し、前記コの字の底部の両サイドに形成する前記斜体面により、クッションとしての役割を強化することを特徴とする請求項１記載の梱包用クッション材構造体。
【考案の詳細な説明】
【技術分野】
【０００１】
本考案は梱包用クッション材構造体に関し、特にＵ字型パイプ本体、Ｕ字型嵌め込み部品及び強化部品で組成する梱包用クッション材構造体に関する。
【背景技術】
【０００２】
電器や電子製品、機械部品、ガラス製品、陶磁器及び精密部品を守るため、通常包装或いは梱包する際に必ずクッション材を使わなければならず、現在主なクッション材は発泡スチレン樹脂及び厚めのダンボールなどである。これらは電器や機械部品、ガラス製品、陶磁器をしっかりと保護することはできるが、エコ意識が高まる現代では、発泡スチレン樹脂を使用するのは躊躇われる。よって、紙で構成する構造をもって、精密機器を保護する試みが施されている。特に繊細なノートパソコンの梱包運送の際、一般の紙素材のクッション材の保護では、まだまだ不十分であるため、更なる改善が必要であった。
【先行技術文献】
【特許文献】
【０００３】
【特許文献１】特開２００８−２４７４２２号公報
【考案の概要】
【考案が解決しようとする課題】
【０００４】
前記公知構造の欠点を解決するため、本考案はＵ字型パイプ本体及びＵ字型嵌め込み部品と強化部品で構成する梱包用クッション材構造体を提供することを主な目的とする。  
【課題を解決するための手段】
【０００５】
前記課題を解決するために、本考案はＵ字型パイプ本体、Ｕ字型嵌め込み部品及び強化部品で構成されている。Ｕ字型パイプ本体は中央に凹槽を形成し、外部側壁及び内部側壁を設ける。クッションとしての役割を強化するために、凹槽の内側壁の中央部分にアーチ型突出を設け、該外部側壁の左側端面と右側端面、底部端面にそれぞれ数個のＵ字型溝を設ける。Ｕ字型嵌め込み部品に内側壁及び外側壁を設け、外側壁にＶ字型溝を設け、内側壁及び外側壁の接続箇所に挿入ヘッドを形成し、Ｕ字型嵌め込み部品をＵ字型パイプ本体の両端にある外部側壁及び内部側壁の間に挿入する。強化部品は長短二枚のプレートを繋げて折り曲げて形成するものであり、Ｕ字型パイプの両端に挿入したＵ字型嵌め込み部品の内側壁と外側壁の間に挿入する。向かい合う二つの本考案の梱包用クッション材構造体が形成する凹槽(受け入れスペース)に被保護物を入れた場合、外力の衝撃を受けても、被保護物は損傷を受けないため、広く電子製品や精密機械製品、ガラス製品、陶磁器製品に使用することができる。
本考案は下記の特徴を有する。
（１）Ｕ字型パイプ本体、Ｕ字型嵌め込み部品及び強化部品を含み、
該Ｕ字型パイプ本体は中央に凹槽を形成し、外部側壁及び内部側壁を設け、該外部側壁及び内部側壁の接続箇所に円弧型を設け、該内部側壁の中央部分にアーチ型突出を設けて、クッションとしての役割を強化し、
該外部側壁の左側端面と右側端面にそれぞれ二つのＵ字型溝を設け、底部端面に二つのＵ字型溝を設けてクッションとしての役割を強化し、
該Ｕ字型嵌め込み部品に内側壁及び外側壁を設け、該外側壁にＶ字型溝を設け、該内側壁及び該外側壁の接続箇所に挿入ヘッドを形成し、該Ｕ字型嵌め込み部品を該Ｕ字型パイプ本体の両端にある該外部側壁及び該内部側壁の間に挿入し、
該強化部品は短いプレートと長いプレートを繋げてコの字に折り曲げて形成し、コの字の底部の両サイドに斜体面を形成してクッション材とし、該強化部品は、該Ｕ字型パイプ本体の両端に挿入した該Ｕ字型嵌め込み部品の該内側壁と該外側壁の間に挿入し、
該Ｕ字型パイプ本体の両端に、該Ｕ字型嵌め込み部品を挿入し、更に該強化部品をそれぞれ挿入して受け入れスペースＶを形成することを特徴とする梱包用クッション材構造体。
（２）前記長いプレートを前記Ｕ字型嵌め込み部品の前記内側壁と前記外側壁の間に挿入し、前記短いプレートは前記受け入れスペースＶに露出し、前記コの字の底部の両サイドに形成する前記斜体面により、クッションとしての役割を強化することを特徴とする（１）記載の梱包用クッション材構造体。
【考案の効果】
【０００６】
本考案のクッション材は再生紙を使用し、何度も使用することができるため、公害が生じずエコである。また、大量生産できるため、コストを抑えられる。外部から加える力から被保護物を守るために、Ｕ字型パイプ本体の中央にアーチ型突出と、外部側壁に数個のＵ字型溝を設け、より衝撃を吸収する。Ｕ字型パイプの両端にＵ字型嵌め込み部品を挿入するため、被保護物が横方向に移動するのを防止する。Ｕ字型パイプ本体の両端に挿入したＵ字型嵌め込み部品の内側壁と外側壁の間に強化部品を挿入することで、外力を受けても、被保護物を守ることができる。
【図面の簡単な説明】
【０００７】
【図１ａ】本考案におけるＵ字型パイプ本体の断面図である。
【図１ｂ】本考案におけるＵ字型嵌め込み部品の断面図である。
【図１ｃ】本考案における強化部品の断面図である。
【図１ｄ】本考案におけるＵ字型嵌め込み部品の立体図である。
【図１ｅ】本考案における強化部品の立体図である。
【図１ｆ】本考案におけるＵ字型パイプ本体の立体図である。
【図２】本考案における構造体の立体組立図１である。
【図３】本考案における構造体の立体組立図２である。
【図４】本考案における構造体の立体図である。
【図５】本考案における構造体の実施例図である。
【考案を実施するための形態】
【０００８】
本考案による梱包用クッション材構造体に示すために図に沿って詳細な説明を行う。図１及び図４に示すように、主にＵ字型パイプ本体１、Ｕ字型嵌め込み部品２１、２１’及び強化部品３１、３１’で構成する。図１ａ及び図１ｆに示すように、該Ｕ字型パイプ本体１は中央に凹槽１６を形成し、外部側壁１１及び内部側壁１１’を設け、該内外側壁の接続箇所を円弧型１７、１７’の形状に設ける。Ｕ字型パイプ本体１のクッションとしての役割を強化するために、凹槽１６の内部側壁１１’の中央部分にアーチ型突出１５を設け、該外部側壁１１の左側端面１０と右側端面１０’の適切な場所にそれぞれ二つのＵ字型溝１４、１４’を設け、底部端面１２の適切な場所に二つのＵ字型溝１３、１３’を設ける。
【０００９】
図１ｂ及び図１ｄに示すように、該Ｕ字型嵌め込み部品２１は内側壁２５及び外側壁２３を設け、外側壁２３にＶ字型溝２４、２４’を設け、内側壁２５及び外側壁２３の接続箇所に挿入ヘッド２２、２２’を形成し、Ｕ字型嵌め込み部品２１、２１’をＵ字型パイプ本体１の両端にある外部側壁１１及び内部側壁１１’の間に挿入する。図１ｃ図１ｅ及び図３に示すように、強化部品３１、３１’は短いプレート３１１、３１１’と長いプレート３１２、３１２’を繋げてコの字に折り曲げて形成し、コの字の底部３１３、３１３’の両サイドに斜体面３１４、３１４’を形成する。該強化部品３１、３１’は、Ｕ字型パイプ本体１の両端に挿入したＵ字型嵌め込み部品２１、２１’の内側壁２５と外側壁２３の間に挿入する。
【００１０】
図２に示すように、Ｕ字型嵌め込み部品２１、２１’をＰ、Ｐ’の方向でＵ字型パイプ本体１の両端に挿入する。図３に示すように、Ｕ字型パイプ本体１はＵ字型嵌め込み部品２１、２１’を挿入することで受け入れスペースＶを形成する。更に強化部品３１をＳ、Ｓ’の方向で長いプレート３１２、３１２’をＵ字型嵌め込み部品２１、２１’の内側壁２５と外側壁２３の間に挿入し、短いプレート３１１、３１１’は受け入れスペースＶに露出する。図４に示すのは本考案を組み立てた構造体立体図である。
【００１１】
図５に示すように、二つの梱包用クッション構造体１８、１８’の受け入れスペースＶ、Ｖ’を向かい合わせに置き、被保護物Ｔの両端をそれぞれ受け入れスペースＶ、Ｖ’に挿入する。本考案の梱包用クッション材構造体により、被保護物Ｔが外力の衝撃を受けても、被保護物Ｔは損傷を受けないため、広く電子製品や精密機械製品、ガラス製品、陶磁器製品に使用することができる。
【符号の説明】
【００１２】
1、 Ｕ字型パイプ本体
１０  左端面
１０’  右端面
１１  外部側壁
１１’  内部側壁
１２  底部端面
１３、１４、１３’、１４’  Ｕ字型溝
１５  アーチ型突出
１６  凹槽
１７、１７’  円弧型
１８、１８’  梱包用クッション構造体
２１、２１’  Ｕ字型嵌め込み部品
２２、２２’  挿入ヘッド
２３、２３’  外側壁
２４、２４’  Ｖ字型溝
２５、２５’  内側壁
３１、３１’  強化部品
３１１、３１１’  短いプレート
３１２、３１２’  長いプレート
３１３、３１３’  強化部品の底部
３１４、３１４’  斜体面
Ｐ、Ｐ’、Ｓ、Ｓ’  挿入方向
Ｔ  被保護物
Ｖ、Ｖ’  受け入れスペース
【図１ａ】
0003157655.tif 000003
【図１ｂ】
0003157655.tif 000004
【図１ｃ】
0003157655.tif 000005
【図１ｄ】
0003157655.tif 000006
【図１ｅ】
0003157655.tif 000007
【図１ｆ】
0003157655.tif 000008
【図２】
0003157655.tif 000009
【図３】
0003157655.tif 000010
【図４】
0003157655.tif 000011
【図５】
0003157655.tif 000012